(57)【要約】【課題】着脱を容易にし、鉢に対して装着する労力を軽減する。【解決手段】第１の縦切断筒状部材と、第２の縦切断筒状部材とを備え、前記第１の縦切断筒状部材の側面と前記第２の縦切断筒状部材の側面とが鉢の側面を覆うように自立して配置された鉢カバー。第１の縦切断筒状部材の２つの側面端部と第２の縦切断筒状部材の２つの側面端部とが互いに重なるように配置されることが望ましい。第１の縦切断筒状部材と、第２の縦切断筒状部材との少なくとも一方は、円筒状部材又は正角筒状部材を等分に縦切断した縦切断筒状部材よりも両端部が延長されていることが好ましい。第１の縦切断筒状部材及び第２の縦切断筒状部材は、横断面の形状が半輪状、「コ」の字状、又は「Ｕ」字状であることが好ましい。【選択図】図１
2018011580.tif 000002
【特許請求の範囲】
【請求項１】
第１の縦切断筒状部材と、第２の縦切断筒状部材とを備え、前記第１の縦切断筒状部材の側面と前記第２の縦切断筒状部材の側面とが鉢の側面を覆うように配置された鉢カバー。
【請求項２】
前記第１の縦切断筒状部材の２つの側面端部と前記第２の縦切断筒状部材の２つの側面端部とが互いに重なるように配置された請求項１に記載の鉢カバー。
【請求項３】
前記第１の縦切断筒状部材の２つの側面端部と前記第２の縦切断筒状部材の２つの側面端部とが互いに重なる重ね合わせ部において、前記第１の縦切断筒状部材の一方の側面端部の内面と前記第２の縦切断筒状部材の一方の側面端部の外面とが向かい合い、前記第１の縦切断筒状部材の他方の側面端部の外面と前記第２の縦切断筒状部材の一方の側面端部の内面とが向かい合っている、請求項２に記載の鉢カバー。
【請求項４】
前記第１の縦切断筒状部材の２つの側面端部と前記第２の縦切断筒状部材の２つの側面端部とが互いに重なる重ね合わせ部において、前記第１の縦切断筒状部材の２つの側面端部の内面と前記第２の縦切断筒状部材の２つの側面端部の外面とが向かい合っている、請求項２に記載の鉢カバー。
【請求項５】
前記第１の縦切断筒状部材と、前記第２の縦切断筒状部材との少なくとも一方は、円筒状部材又は正角筒状部材を等分に縦切断した縦切断筒状部材よりも両端部が延長されている請求項１から４のいずれか１項に記載の鉢カバー。
【請求項６】
前記第１の縦切断筒状部材及び前記第２の縦切断筒状部材は、横断面の形状が半輪状、「コ」の字状、又は「Ｕ」字状である請求項１から５のいずれか１項に記載の鉢カバー。
【請求項７】
前記第１の縦切断筒状部材と、前記第２の縦切断筒状部材とは同一形状である請求項１から６のいずれか１項に記載の鉢カバー。
【請求項８】
前記第１の縦切断筒状部材の高さと、前記第２の縦切断筒状部材の高さとが異なる請求項１から６のいずれか１項に記載の鉢カバー。
【請求項９】
前記第１の縦切断筒状部材及び前記第２の縦切断筒状部材の少なくとも一方は、底部に複数の切り欠き部を有する請求項１から８のいずれか１項に記載の鉢カバー。
【請求項１０】
前記第１の縦切断筒状部材と、前記第２の縦切断筒状部材とは底部が広くなるように縦切断された形状を有する請求項１から９のいずれか１項に記載の鉢カバー。
【請求項１１】
前記第１の縦切断筒状部材と、前記第２の縦切断筒状部材とは互いに一方の端部が回動可能に接合している請求項１に記載の鉢カバー。
【請求項１２】
前記第１の縦切断筒状部材と、前記第２の縦切断筒状部材とは、底部の横断面の形状と上部の横断面の形状とが異なっている請求項１から１１のいずれか１項に記載の鉢カバー。
【請求項１３】
前記第１の縦切断筒状部材と、前記第２の縦切断筒状部材とは、上部に折り返し部が形成されている請求項１から１２のいずれか１項に記載の鉢カバー。
【発明の詳細な説明】
【技術分野】
【０００１】
本発明は、鉢の周囲を囲う鉢カバーに関する。
【背景技術】
【０００２】
鉢カバーとしては、特許文献１に記載されるように、扇形形状の可撓性シートを円筒状に巻いて両端部を接続する植木鉢カバーが提案されている。
また、特許文献２に記載されるように、経糸に綿を素材とした繊維を使用し、緯糸にゴム糸を使用して編成された伸縮性を有する編体から構成され、略円筒形状に形成された鉢カバーが提案され、この鉢カバーを鉢に装着することの記載がある。
【先行技術文献】
【特許文献】
【０００３】
【特許文献１】特開昭６１−７３２７６号公報
【特許文献２】特開２００５−２１０９１６号公報
【発明の概要】
【発明が解決しようとする課題】
【０００４】
しかしながら、特許文献１に開示される鉢カバーは着脱が煩雑で、両端部の接続を解除すると元のシートに戻ってしまう。また鉢の大きさにバラツキがあっても伸縮できないので対応することができない。
また、特許文献２に記載の鉢カバーは鉢に装着するために、植木等が挿入された鉢を持ちあげて鉢カバーを装着する必要があるために、労力を要することになる。
【０００５】
本発明の１つの目的は、着脱が容易で、鉢に対して装着する労力を軽減することができる鉢カバーを提供することを目的とする。
また本発明の他の目的は、鉢の大きさにバラツキを許容できる鉢カバーを提供することを目的とする。
また本発明のさらに他の目的は、鉢の数の増加にも対応できる鉢カバーを提供することを目的とする。
【課題を解決するための手段】
【０００６】
本発明に係る鉢カバーは、第１の縦切断筒状部材と、第２の縦切断筒状部材とを備え、前記第１の縦切断筒状部材の側面と前記第２の縦切断筒状部材の側面とが鉢の側面を覆うように配置された鉢カバーである。
【発明の効果】
【０００７】
本発明によれば、着脱を容易にし、鉢に対して装着する労力を軽減することができる。
【図面の簡単な説明】
【０００８】
【図１】本発明の第１の実施形態の鉢カバーの構成と、鉢への装着方法を示す図である。
【図２】第１の実施形態の鉢カバーにおける、第１の縦切断円筒状部材と第２の縦切断円筒状部材との組み合わせ、及び縦切断円筒状部材の変形例を説明する図である。
【図３】本発明の第２の実施形態の鉢カバーにおける第１の縦切断円筒状部材と第２の縦切断円筒状部材との組み合わせを説明する図である。
【図４】本発明の第３の実施形態の鉢カバーにおける第１の縦切断角筒状部材と第２の縦切断角筒状部材との組み合わせを説明する図である。
【図５】本発明の第４の実施形態の鉢カバーにおける第１の縦切断角筒状部材と第２の縦切断角筒状部材との組み合わせを説明する図である。
【図６】本発明の第５の実施形態の鉢カバーにおける第１の縦切断円筒状部材と第２の縦切断円筒状部材との組み合わせを説明する図である。
【図７】本発明の第６の実施形態の鉢カバーにおける縦切断円筒状部材を説明する図である。
【図８】本発明の第７の実施形態の鉢カバーにおける第１の縦切断円筒状部材と第２の縦切断円筒状部材との組み合わせを説明する図である。
【図９】本発明の第８の実施形態の鉢カバーにおける第１の縦切断筒状部材と第２の縦切断筒状部材との組み合わせを説明する図である。
【図１０】本発明の第８の実施形態の鉢カバーにおける第１の縦切断筒状部材と第２の縦切断筒状部材との組み合わせを説明する図である。
【図１１】本発明の第９の実施形態の鉢カバーにおける第１の縦切断筒状部材と第２の縦切断筒状部材との組み合わせを説明する図である。
【図１２】本発明の第１０の実施形態の鉢カバーにおける縦切断角筒状部材を説明する図である。
【図１３】本発明の第１１の実施形態の鉢カバーにおける第１の縦切断円筒状部材と第２の縦切断円筒状部材との組み合わせを説明する図である。
【図１４】第１１の実施形態の鉢カバーにおける第１の縦切断円筒状部材と第２の縦切断円筒状部材との接合方法を示す図である。
【図１５】第１１の実施形態の鉢カバーにおける第１の縦切断円筒状部材と第２の縦切断円筒状部材との他の接合方法を示す図である。
【図１６】本発明の第１２の実施形態の鉢カバーにおける第１の縦切断円筒状部材と第２の縦切断円筒状部材との組み合わせを説明する図である。
【図１７】本発明の第１３の実施形態の比較例となる鉢カバーにおける横断面が「Ｕ」字状の縦切断筒状部材を説明する図である。
【図１８】本発明の第１３の実施形態の鉢カバーにおける横断面が「Ｕ」字状の縦切断筒状部材を説明する図である。
【図１９】本発明の第１４の実施形態の鉢カバーにおける第１の縦切断円筒状部材と第２の縦切断円筒状部材との組み合わせを説明する図である。
【発明を実施するための形態】
【０００９】
以下、本発明の実施形態について図面を用いて詳細に説明する。
（第１の実施形態）
図１は本発明の第１の実施形態の鉢カバーの構成と、鉢への装着方法を示す図である。図２（Ａ）は第１の縦切断円筒状部材と第２の縦切断円筒状部材との組み合わせを説明する図である。図２（Ｂ）は縦切断円筒状部材の変形例を示す図である。本実施形態では縦切断筒状部材として縦切断円筒状部材を用いた場合について説明する。
本発明の第１実施形態の鉢カバーは、第１の縦切断円筒状部材１１と、第２の縦切断円筒状部材１２とから構成される。鉢１３の側面から鉢１３の周囲を覆うように第１の縦切断円筒状部材１１と、第２の縦切断円筒状部材１２とを組み合わせることで、鉢カバーを構成することができ、鉢１３及び水受け皿１４を持ち上げることなく、水受け皿１４上の鉢１３を鉢カバー内に配置することができる。通常の鉢カバーは底面に水抜き穴がないものと水抜き穴があるものとがあるが、本実施形態の鉢カバーは底面がない。鉢カバーに底面がないことは後述する各実施形態の鉢カバーにおいても同様である。ただし、鉢カバーの自立性を高めるために水受け皿１４に接しない範囲で図２（Ｂ）に示すように第１の縦切断円筒状部材１１に突き出し部１１Ａを設けてもよい。突き出し部の形状は図２（Ｂ）に示した形状に限定されず、底部全体に半円輪状に設けてもよい。第２の縦切断円筒状部材１２にも突き出し部を設けてもよい。縦切断円筒状部材１１、１２の着脱に支障がなければ、突き出し部の一部が水受け皿１４の下に入り込むようにしてもよい。突き出し部は後述する各実施形態の鉢カバーの縦切断筒状部材においても同様に設けることができる。
【００１０】
第１の縦切断円筒状部材１１の両端部（２つの側面端部）は第２の縦切断円筒状部材１２の両端部（２つの側面端部）と互いに重なるように配置される。第１の縦切断円筒状部材１１と第２の縦切断円筒状部材１２とは鉢の周囲を覆うように配置される。第１の縦切断円筒状部材１１は、円筒を縦方向に等分に２分割した縦切断円筒の１つである。第２の縦切断円筒状部材１２は、円筒を縦方向に等分に２分割した縦切断円筒よりも周方向が長くなるように両端部が延長され、第１の縦切断円筒状部材１１の両端部との間で重なり部が構成できるようになっている。
このように重なり部ができるように、第１の縦切断円筒状部材と、第２の縦切断円筒状部材とが配置されれば、鉢の径にばらつきがあっても、重なり部の長さを調整することで鉢カバーの径のばらつきを許容することができる。
第１の縦切断円筒状部材１１の横断面は半円輪状でそれ自体に自立性を有するが、第２の縦切断円筒状部材１２の横断面は半円輪よりも大きい形状となっているのでさらに自立性が高い。第１の縦切断円筒状部材１１と第２の縦切断円筒状部材１２は自立性を有するので、重なり部で接合したり、接する必要はなく、一定の隙間を空けて配置される。ただし、重なり部で互いに接したり、磁石等を用いて接合したりするように配置してもよい。
【００１１】
第１の縦切断円筒状部材１１の横断面における半円輪の径は、第２の縦切断円筒状部材１２の横断面の半円輪部分の径よりも大きく、第２の縦切断円筒状部材１２の両端部は、第１の縦切断円筒状部材１１内に入り込むように重なり部を形成している。この重なり部において、第１の縦切断円筒状部材１１の２つの側面端部の内面と第２の縦切断円筒状部材１２の２つの側面端部の外面とが向かい合っている。
第１の縦切断円筒状部材１１と第２の縦切断円筒状部材１２の材料は、自立が可能であればよく、FRPやアクリル等のプラスチック、プライウッド等の木製品、木、ガラス、陶磁器、アルミやスチール等の金属、かご状、シリコーン樹脂、セメント、厚紙、革等を用いることができる。また、例えばプラスチックに布を貼ってもよい。第１の縦切断円筒状部材１１と第２の縦切断円筒状部材１２とは同一材料でなくともよく、例えば、第１の縦切断円筒状部材１１をプラスチック、第２の縦切断円筒状部材１２を革としてもよい。以下に説明する各実施形態の縦切断筒状部材においても同様な材料を用いることができる。
【００１２】
（第２の実施形態）
図３は本発明の第２の実施形態の鉢カバーにおける第１の縦切断円筒状部材と第２の縦切断円筒状部材との組み合わせを説明する図である。本実施形態では、第１の縦切断円筒状部材１５と第２の縦切断円筒状部材１６とが同一形状である。重ね合わせ部において、第１の縦切断円筒状部材１５の一方の側面端部の内面と第２の縦切断円筒状部材１６の一方の側面端部の外面とが向かい合い、第１の縦切断円筒状部材１５の他方の側面端部の外面と第２の縦切断円筒状部材１６の他方の側面端部の内面とが向かい合っている。
第１の縦切断円筒状部材１５と第２の縦切断円筒状部材１６はともに、円筒を縦方向に等分に２分割した縦切断円筒よりも周方向が長くなるように両端部が延長され、第１の縦切断円筒状部材１５の両端部と第２の縦切断円筒状部材１６の両端部との間で重なり部が構成できるようになっている。第１の縦切断円筒状部材１５と第２の縦切断円筒状部材１６はともに、横断面が半円輪よりも大きい形状となっているので自立性が高い。
本実施形態では第１の縦切断円筒状部材１５と第２の縦切断円筒状部材１６とが同一形状なので、同じ製品で構成できる利点がある。
【００１３】
（第３の実施形態）
図４は本発明の第３の実施形態の鉢カバーにおける第１の縦切断角筒状部材と第２の縦切断角筒状部材との組み合わせを説明する図である。
本実施形態は、第１の実施形態の第１の縦切断円筒状部材１１と第２の縦切断円筒状部材１２を第１の縦切断角筒状部材２１と第２の縦切断角筒状部材２２に変えている。第１の実施形態と同様の効果がある。
第１の縦切断角筒状部材２１は、正角筒を縦方向に等分に２分割した縦切断角筒である。第２の縦切断角筒状部材２２は、正角筒を縦方向に等分に２分割した縦切断角筒よりも辺が長くなるように両端部が延長され、第１の縦切断角筒状部材２１の両端部との間で重なり部が構成できるようになっている。縦切断角筒状部材２２は両端部の延長幅を大きくとって第１の縦切断角筒状部材２１内に入り込む幅を大きくしてもぶつからないので、重なり部を広くとることができる。よって、挿入する鉢が四角であって、その鉢の長さが変わってもそれに対応させて重なり部の長さを調整することができる。
【００１４】
（第４の実施形態）
図５は本発明の第４の実施形態の鉢カバーにおける第１の縦切断角筒状部材と第２の縦切断角筒状部材との組み合わせを説明する図である。
本実施形態は、第２の実施形態の第１の縦切断円筒状部材１１と第２の縦切断円筒状部材１２を第１の縦切断角筒状部材２３と第２の縦切断角筒状部材２４に変えている。第２及び第３の実施形態と同様の効果があり、また第４の実施形態と同様に、重なり部を広くとることができ、挿入する鉢が四角であって、その鉢の長さが変わってもそれに対応させて重なり部の長さを調整することができる。
【００１５】
（第５の実施形態）
図６は本発明の第５の実施形態の鉢カバーにおける第１の縦切断円筒状部材と第２の縦切断円筒状部材との組み合わせを説明する図である。
本実施形態は、第１の実施形態の第１の縦切断円筒状部材１１と第２の縦切断円筒状部材１２よりも、底の円周の長さを長くした、第１の縦切断円筒状部材３１と第２の縦切断円筒状部材３２として、床や地面に接する長さを長くし、縦切断円筒状部材の自立性を高めている。第１の縦切断円筒状部材３１と、第２の縦切断円筒状部材３２とは底部が広くなるように縦切断された形状を有する。第１の縦切断円筒状部材３１と第２の縦切断円筒状部材３２の上の周の長さは第１の縦切断円筒状部材１１と第２の縦切断円筒状部材１２と同様である。第１の縦切断円筒状部材３１と第２の縦切断円筒状部材３２は、実際は円筒状部材を斜め方向に切断したものであるが、通常は４５度よりも大きい角度で切断されるので、このような切断方向も縦切断に含むものとする。
本実施形態の構成は、図３に示した第２の実施形態、後述する第７の実施形態にも適用することができる。また実施形態の構成は、他の縦切断筒状部材、例えば図４及び図５に示した縦切断角筒状部材にも適用することができる。
【００１６】
（第６の実施形態）
図７は本発明の第６の実施形態の鉢カバーにおける縦切断円筒状部材を説明する図である。第１から第５に示した縦切断筒状部材の着脱を容易化するために、図７に示すような、抓み４１と持ち手（手かけ）４２を第１から第５に示した縦切断筒状部材に設けたものである。持ち手（手かけ）４２は鉢カバーの持ち運びを容易にする。持ち手４２は手がかかればよく、ここでは開口部を設けているが、突き出し部であってもよい。抓み４１と持ち手４２はいずれか一方であってもよい。この抓み及び／又は持ち手（手かけ）は他の縦切断筒状部材、例えば縦切断角筒状部材や後述する各実施形態にも適用することができる。
【００１７】
（第７の実施形態）
図８は本発明の第７の実施形態の鉢カバーにおける第１の縦切断円筒状部材と第２の縦切断円筒状部材との組み合わせを説明する図である。
本実施形態は、第１の実施形態の第１の縦切断円筒状部材１１と第２の縦切断円筒状部材１２を第１の縦切断円筒状部材５１と第２の縦切断円筒状部材５２に変えている。第１の実施形態と同様の効果がある。
本実施形態では第１の縦切断円筒状部材５１と第２の縦切断円筒状部材５２はともに、第１の縦切断円筒状部材５１の両端部と第２の縦切断円筒状部材５２の両端部との間で重なり部が構成できるようになっている。第１の縦切断円筒状部材５１と第２の縦切断円筒状部材５２はともに、横断面が半円輪よりも大きい形状となっているので自立性が高い。
【００１８】
（第８の実施形態）
図９及び図１０は本発明の第８の実施形態の鉢カバーにおける第１の縦切断筒状部材と第２の縦切断筒状部材との組み合わせを説明する図である。
本実施形態は図５に示した第４の実施形態の第１の縦切断角筒状部材２３と第２の縦切断角筒状部材２４を横断面が「Ｕ」字状の縦切断筒状部材６１、６２に置き換えたものである。第３の実施形態及び第４の実施形態と同様に、重なり部を広くとることができ、挿入する鉢が四角であって、その鉢の長さが変わってもそれに対応させて重なり部の長さを調整することができる。図９においては、「Ｕ」字状の縦切断筒状部材６１、６２内に鉢１３を１つ挿入した場合、図１０においては、「Ｕ」字状の縦切断筒状部材６１、６２内に鉢１３を２つ挿入した場合を示している。このように重なり部の長さを調整して鉢１３の数を変えることができることは第３の実施形態及び第４の実施形態においても同様である。
【００１９】
（第９の実施形態）
図１１は本発明の第９の実施形態の鉢カバーにおける第１の縦切断筒状部材と第２の縦切断筒状部材との組み合わせを説明する図である。
図９及び図１０に示した「Ｕ」字状の縦切断筒状部材６１、６２の地面や床に接する部分は周囲全てである必要はなく、本実施形態の「Ｕ」字状の縦切断筒状部材７１、７２のように、底部に切り欠き部を設けて、地面や床に接する部分を１つの縦切断筒状部材について複数としてもよい。図１１では地面や床に接する部分が１つの縦切断筒状部材について３か所であるが、この数に限定されるものではない。
【００２０】
（第１０の実施形態）
図１２は本発明の第１０の実施形態の鉢カバーにおける縦切断角筒状部材を説明する図である。
図９及び図１０に示した「Ｕ」字状の縦切断筒状部材７１、７２の形態には縦切断角筒状部材にも適用できる。図１１は、１つの縦切断角筒状部材のみを示し、地面や床に接する部分を１つの縦切断角筒状部材について４か所とした形態を示している。図１１では地面や床に接する部分が１つの縦切断筒状部材について４か所であるが、この数に限定されるものではない。
【００２１】
（第１１の実施形態）
図１３は本発明の第１１の実施形態の鉢カバーにおける第１の縦切断円筒状部材と第２の縦切断円筒状部材との組み合わせを説明する図である。
本実施形態では、第１の縦切断円筒状部材９１と第２の縦切断円筒状部材９２とは蝶番で一方の端部どうしが接合され、蝶番を中心に回動させて他方の端部どうしを接合するようにしている。接合方法は蝶番に限定されず、第１の縦切断円筒状部材９１と、第２の縦切断円筒状部材９１とは互いに一方の端部が回動可能に接合していればよい。他方の端部どうしを接合させるには、第１の縦切断円筒状部材９１と第２の縦切断円筒状部材９２との他方の端部に磁石をとりつけて接合させたり、図１４に示すように、端部をさね加工をして接合させたり、図１５に示すように他方の端部に穴を設けて、紐で結んだりすることで接合させることができる。図１４は上部から接合状態を見た図、図１５は側面から接合状態を見た図である。
【００２２】
（第１２の実施形態）
図１６は第１の縦切断円筒状部材と第２の縦切断円筒状部材との組み合わせを説明する図である。第１から第１１の実施形態では、第１の縦切断筒状部材と第２の縦切断筒状部材とが同じ高さである場合について説明したが、本実施形態では高さの異なる第１の縦切断円筒状部材１０１と第２の縦切断円筒状部材１０２とを組み合わせた場合を示す。上部から見た様子は第１の実施形態を示す図２と同様である。このように高さを変えることは第１から第１１の実施形態及び後述する実施形態でも適用することができる。
【００２３】
（第１３の実施形態）
図１７は本発明の第１３の実施形態の比較例となる鉢カバーにおける横断面が「Ｕ」字状の縦切断筒状部材を説明する図である。図１８は、本発明の第１３の実施形態の鉢カバーにおける横断面が「Ｕ」字状の縦切断筒状部材を説明する図である。
図１７に示す縦切断筒状部材１１１は上から見た場合に「Ｕ」字状となっている（図１７の右図は上面図を示す）。これは、底部の横断面の形状と上部の横断面の形状とが同じ「Ｕ」字状だからである。本実施形態では、図１８に示すように、縦切断筒状部材１１２の底部の横断面の形状は「Ｕ」字状であるが、上部の横断面の形状は一部が波状（「Ｓ」字状）となっている。このように、横断面形状は底部から上部まで同一でなくてもよい。このような形状は横断面が「Ｕ」字状の縦切断筒状部材に限られず、他の縦切断筒状部材、例えば、縦切断円筒状部材、縦切断角筒状部材等のような他の縦切断筒状部材にも適用される。
【００２４】
（第１４の実施形態）
図１８は第１の縦切断円筒状部材と第２の縦切断円筒状部材との組み合わせを説明する図である。本実施形態では、第１の縦切断円筒状部材１２１と第２の縦切断円筒状部材１２２との上部が鉢の土が見えないように、折り返されて折り返し部が形成されている。それぞれ折り返し部が第１の縦切断円筒状部材１２１と第２の縦切断円筒状部材１２２が組み合わせられると、上部に開口部が形成され、鉢に植えられた植物はこの開口部を介して上に突き出るようになる。このような折り返し部は縦切断円筒状部材に限られず、「Ｕ」字状の縦切断筒状部材、縦切断角筒状部材等のような他の縦切断筒状部材にも適用される。
【００２５】
以上説明した各実施形態において、自立性をさらに高めるために、各縦切断筒状部材の底部の厚さを厚くしたり、底部のみ重い材料で構成してもよい。
また、以上説明した実施形態では、縦切断筒状部材の代表的な例として、縦切断円筒状部材、縦切断角筒状部材（横断面が「コ」の字状）、横断面が「Ｕ」字状の縦切断筒状部材について説明したが、本実施形態に用いられる縦切断筒状部材はこの様な形状に限定されず、その他の形状であってもよい。縦切断筒状部材は、上部と下部との形状が異なっていてもよく、例えば、底部が縦切断円錐を横切断した形状で、その上が縦断円筒状となっていてもよい。
また、以上説明した各実施形態において、縦切断辺は直線として示したが、曲線でもよく、波型等の装飾を施してもよい。
【符号の説明】
【００２６】
１１、１２、１５、１６、３１、３２、５１、５２、９１、９２、１０１、１０２、１２１、１２２  縦切断円筒状部材
１３  鉢
１４  水受け皿
２１、２２、２３、２４、８１  縦切断角筒状部材
４１  抓み
６１、６２、７１、７２、１１１、１１２  横断面が「Ｕ」字状の縦切断筒状部材
【図１】
2018011580.tif 000003
【図２】
2018011580.tif 000004
【図３】
2018011580.tif 000005
【図４】
2018011580.tif 000006
【図５】
2018011580.tif 000007
【図６】
2018011580.tif 000008
【図７】
2018011580.tif 000009
【図８】
2018011580.tif 000010
【図９】
2018011580.tif 000011
【図１０】
2018011580.tif 000012
【図１１】
2018011580.tif 000013
【図１２】
2018011580.tif 000014
【図１３】
2018011580.tif 000015
【図１４】
2018011580.tif 000016
【図１５】
2018011580.tif 000017
【図１６】
2018011580.tif 000018
【図１７】
2018011580.tif 000019
【図１８】
2018011580.tif 000020
【図１９】
2018011580.tif 000021